(57)【特許請求の範囲】
【請求項１】
記憶媒体に光を照射する光照射手段と、
上記光の焦点で上記記録媒体を厚さ方向に走査する走査手段と、
上記走査により得られる光の反射光に基づいて、少なくとも和信号及びフォーカスエラー信号を生成する信号生成手段と、
上記和信号に対して、第１の閾値を設定する第１の閾値設定手段と、
上記和信号のレベルが、上記第１の閾値よりも大きなレベルとなる間、第１のパルスを生成する第１のパルス生成手段と、
上記フォーカスエラー信号に対して第２の閾値を設定する第２の閾値設定手段と、
上記フォーカスエラー信号のレベルが、上記第２の閾値よりも大きなレベルとなる間、
第２のパルスを生成する第２のパルス生成手段と、
上記フォーカスエラー信号に対して、上記第２の閾値よりも小さなレベルの第３の閾値を設定する第３の閾値設定手段と、
上記フォーカスエラー信号のレベルが、上記第３の閾値よりも小さなレベルとなる間、
第３のパルスを生成する第３のパルス生成手段と、
上記第１のパルスに基づいて記録層の検出期間を決定する検出期間設定手段と、
上記検出期間において、最初の上記第２のパルスの検出から最後の上記第３のパルスの検出までの時間間隔、或いは最初の上記第３のパルスの検出から最後の上記第２のパルスの検出までの時間間隔に基づいて、上記記憶媒体の層間厚を決定する層間厚決定手段と、
上記層間厚の値が所定の値よりも小さな値の場合は単層の記憶媒体と決定し、上記層間厚の値が所定の値よりも大きな値の場合は多層の記憶媒体と決定する記録層決定手段と
を有することを特徴とする記録層判別装置。
【請求項２】
請求項１に記載の記録層判別装置であって、
上記層間厚決定手段は、上記検出期間において、上記第２のパルスの立ち下がりが最初に検出されたタイミングから上記第３のパルスの立ち上がりが最後に検出されたタイミングまでの間隔、上記第３のパルスの立ち上がりが最初に検出されたタイミングから上記第２のパルスの立ち下がりが最後に検出されたタイミングまでの間隔、或いは最初に検出された上記第３のパルスの立ち上がりから立ち下がりまでの間の中間のタイミングから最後に検出された上記第２のパルスの立ち上がりから立ち下がりまでの間の中間のタイミングまでの間隔に基づいて、上記記憶媒体の層間厚を決定することを特徴とする記録層判別装置。
【請求項３】
請求項１又は請求項２に記載の記録層判別装置であって、
上記走査手段は、上記光の焦点を等速で移動制御することを特徴とする記録層判別装置。
【請求項４】
請求項１から請求項３のうち、いずれか一項に記載の記録層判別装置であって、
上記走査手段は、上記光の焦点を、上記記録層に徐々に近づくように移動制御することを特徴とする記録層判別装置。
【請求項５】
請求項１から請求項４のうち、いずれか一項に記載の記録層判別装置であって、
上記光の焦点が上記記憶媒体の表面、及び上記記録層に移動したタイミングでそれぞれ生成される上記第１のパルスの生成間隔を検出する間隔検出手段と、
上記間隔検出手段で検出された上記生成間隔に基づいて、上記層間厚決定手段で層間厚として決定された間隔を正規化することで、上記層間厚の値を正規化する手段と
を有することを特徴とする記録層判別装置。
【請求項６】
請求項１から請求項５のうち、いずれか一項に記載の記録層判別装置であって、
上記間隔は、時間或いは所定周波数のパルスをカウントしたパルス数であることを特徴とする記録層判別装置。
【請求項７】
記憶媒体に光を照射してこの光の焦点で上記記録媒体を厚さ方向に走査し、この走査により得られる光の反射光に基づいて、少なくとも和信号及びフォーカスエラー信号を生成する記録層判別プログラムであって、
上記和信号に対して、第１の閾値を設定するステップと、
上記和信号のレベルが、上記第１の閾値よりも大きなレベルとなる間、第１のパルスを生成するステップと、
上記フォーカスエラー信号に対して第２の閾値を設定するステップと、
上記フォーカスエラー信号のレベルが、上記第２の閾値よりも大きなレベルとなる間、
第２のパルスを生成するステップと、
上記フォーカスエラー信号に対して、上記第２の閾値よりも小さなレベルの第３の閾値を設定するステップと、
上記フォーカスエラー信号のレベルが、上記第３の閾値よりも小さなレベルとなる間、
第３のパルスを生成するステップと、
上記第１のパルスに基づいて記録層の検出期間を決定するステップと、
上記検出期間において、最初の上記第２のパルスの検出から最後の上記第３のパルスの検出までの時間間隔、或いは最初の上記第３のパルスの検出から最後の上記第２のパルスの検出までの時間間隔に基づいて、上記記憶媒体の層間厚を決定するステップと、
上記層間厚の値が所定の値よりも小さな値の場合はその記憶媒体を単層の記憶媒体と決定し、上記層間厚の値が所定の値よりも大きな値の場合はその記憶媒体を多層の記憶媒体と決定するステップと
をコンピュータに実行させるための記録層判別プログラム。
【請求項８】
請求項７に記載の記録層判別プログラムであって、
上記記憶媒体の層間厚を決定するステップは、上記検出期間において、上記第２のパルスの立ち下がりが最初に検出されたタイミングから上記第３のパルスの立ち上がりが最後に検出されたタイミングまでの間隔、上記第３のパルスの立ち上がりが最初に検出されたタイミングから上記第２のパルスの立ち下がりが最後に検出されたタイミングまでの間隔、或いは最初に検出された上記第３のパルスの立ち上がりから立ち下がりまでの間の中間のタイミングから最後に検出された上記第２のパルスの立ち上がりから立ち下がりまでの間の中間のタイミングまでの間隔に基づいて、上記記憶媒体の層間厚を決定することを特徴とする記録層判別プログラム。
【請求項９】
請求項７又は請求項８に記載の記録層判別プログラムであって、
上記記録媒体を走査するステップでは、上記光の焦点を等速で移動制御することを特徴とする記録層判別プログラム。
【請求項１０】
請求項７から請求項９のうち、いずれか一項に記載の記録層判別プログラムであって、
上記記録媒体を走査するステップでは、上記光の焦点を、上記記録層に徐々に近づくように移動制御することを特徴とする記録層判別プログラム。
【請求項１１】
請求項７から請求項１０のうち、いずれか一項に記載の記録層判別プログラムであって、
上記光の焦点が上記記憶媒体の表面、及び上記記録層に移動したタイミングでそれぞれ生成される上記第１のパルスの生成間隔を検出するステップと、
上記生成間隔に基づいて、上記層間厚決定手段で層間厚として決定された間隔を正規化することで、上記層間厚の値を正規化するステップと
を有することを特徴とする記録層判別プログラム。
【請求項１２】
請求項７から請求項１１のうち、いずれか一項に記載の記録層判別プログラムであって、
上記間隔は、時間或いは所定周波数のパルスをカウントしたパルス数であることを特徴とする記録層判別プログラム。
【請求項１３】
記憶媒体に光を照射するステップと、
上記光の焦点で上記記録媒体を厚さ方向に走査するステップと、
上記走査により得られる光の反射光に基づいて、少なくとも和信号及びフォーカスエラー信号を生成するステップと、
上記和信号に対して、第１の閾値を設定するステップと、
上記和信号のレベルが、上記第１の閾値よりも大きなレベルとなる間、第１のパルスを生成するステップと、
上記フォーカスエラー信号に対して第２の閾値を設定するステップと、
上記フォーカスエラー信号のレベルが、上記第２の閾値よりも大きなレベルとなる間、
第２のパルスを生成するステップと、
上記フォーカスエラー信号に対して、上記第２の閾値よりも小さなレベルの第３の閾値を設定するステップと、
上記フォーカスエラー信号のレベルが、上記第３の閾値よりも小さなレベルとなる間、
第３のパルスを生成するステップと、
上記第１のパルスに基づいて記録層の検出期間を決定するステップと、
上記検出期間において、最初の上記第２のパルスの検出から最後の上記第３のパルスの検出までの時間間隔、或いは最初の上記第３のパルスの検出から最後の上記第２のパルスの検出までの時間間隔に基づいて、上記記憶媒体の層間厚を決定するステップと、
上記層間厚の値が所定の値よりも小さな値の場合はその記憶媒体を単層の記憶媒体と決定し、上記層間厚の値が所定の値よりも大きな値の場合はその記憶媒体を多層の記憶媒体と決定するステップと
を有することを特徴とする記録層判別方法。
【請求項１４】
請求項１３に記載の記録層判別方法であって、
上記記憶媒体の層間厚を決定するステップは、上記検出期間において、上記第２のパルスの立ち下がりが最初に検出されたタイミングから上記第３のパルスの立ち上がりが最後に検出されたタイミングまでの間隔、上記第３のパルスの立ち上がりが最初に検出されたタイミングから上記第２のパルスの立ち下がりが最後に検出されたタイミングまでの間隔、或いは最初に検出された上記第３のパルスの立ち上がりから立ち下がりまでの間の中間のタイミングから最後に検出された上記第２のパルスの立ち上がりから立ち下がりまでの間の中間のタイミングまでの間隔に基づいて、上記記憶媒体の層間厚を決定することを特徴とする記録層判別方法。
【請求項１５】
請求項１３又は請求項１４に記載の記録層判別方法であって、
上記記録媒体を走査するステップでは、上記光の焦点を等速で移動制御することを特徴とする記録層判別方法。
【請求項１６】
請求項１３から請求項１５のうち、いずれか一項に記載の記録層判別方法であって、
上記記録媒体を走査するステップでは、上記光の焦点を、上記記録層に徐々に近づくように移動制御することを特徴とする記録層判別方法。
【請求項１７】
請求項１３から請求項１６のうち、いずれか一項に記載の記録層判別方法であって、
上記光の焦点が上記記憶媒体の表面、及び上記記録層に移動したタイミングでそれぞれ生成される上記第１のパルスの生成間隔を検出するステップと、
上記生成間隔に基づいて、上記層間厚決定手段で層間厚として決定された間隔を正規化することで、上記層間厚の値を正規化するステップと
を有することを特徴とする記録層判別方法。
【請求項１８】
請求項１３から請求項１７のうち、いずれか一項に記載の記録層判別方法であって、
上記間隔は、時間或いは所定周波数のパルスをカウントしたパルス数であることを特徴とする記録層判別方法。
【発明の詳細な説明】
【０００１】
【発明の属する技術分野】
本発明は、例えばビデオゲーム機，ＤＶＤ装置，光磁気ディスク装置，磁気ディスク装置等の単層及び多層の両方の記憶媒体を取り扱う機器に設けて好適な記録層判別装置，記録層判別プログラム及び記録層判別方法に関する。
【０００２】
【従来の技術】
従来、ＣＤ−ＲＯＭ等のように、１面のみ記録面を有する「単層」の二次元構成を有する記憶媒体が知られている。
【０００３】
また、ＤＶＤや蛍光多層ディスク（ＦＭＤ：Ｆｌｕｏｒｅｓｃｅｎｔ  Ｍｕｌｔｉｌａｙｅｒ  Ｄｉｓｃ）等のように、「単層」の二次元構成の他、記録層を複数層積層した「多層」の三次元構成を有する記憶媒体（三次元記憶媒体）も知られている。
【０００４】
三次元記憶媒体を取り扱う機器の場合、単層の記憶媒体及び多層の記憶媒体の互換性が求められる。単層及び多層の両方の記憶媒体を取り扱い可能とするためには、レーザレベルや各信号の利得等の設定を単層の記憶媒体と多層の記憶媒体とで変更する必要がある。
【０００５】
このため、三次元記憶媒体を取り扱う機器の場合、記録や再生に先立って、その記憶媒体が単層の記憶媒体であるか、或いは多層の記憶媒体であるかを判別する。そして、この判別結果に基づいて各部の設定を変更してその記憶媒体に対して記録や再生を行う。
【０００６】
例えば、多層のＤＶＤを取り扱うＤＶＤ装置の場合、光ピックアップを所定の位置から徐々にＤＶＤに近づけていき、光ピックアップから得られる再生信号（和信号＝ＲＦ信号）の信号レベルの違いに基づいて単層と多層の判別やＤＶＤ−ＲＷ等の相変化ディスクの判別を行う（レベル判別方式）。
【０００７】
或いは、ＤＶＤ装置の場合、光ピックアップを所定の位置から徐々にＤＶＤに近づけていき、光ピックアップから得られるフォーカスエラー信号（ＦＥ信号）のエラー数をカウントし、このカウント値に基づいて単層と多層の判別を行う（フォーカスエラーカウント方式）。
【０００８】
具体的には、上記レベル判別方式において、光ピックアップを一定のレーザレベルとし、所定の位置から徐々にＤＶＤに近づけていくと、光ピックアップから得られる再生信号の信号レベルは、単層のＤＶＤの場合図１０に示すようになり、多層のＤＶＤの場合図１１に示すようになる。
【０００９】
すなわち、この図１０び図１１に示すように、光ピックアップを所定の位置から徐々にＤＶＤに近づけていくと（Ｄｉｓｃ  Ｆａｒ  →  Ｄｉｓｃ  Ｎｅａｒ）、まず、ポリカーボネート樹脂等のディスクの保護膜からの反射光による再生信号（ディスク表面反射信号）を得ることができ、続いて記録層（信号面）からの反射光による再生信号（信号面反射信号）を得ることができる。
【００１０】
図１０及び図１１を見比べてわかるように、ディスク表面反射信号は、単層（図１０）及び多層（図１１）の両ディスクともレベル差は無い。しかし、信号面反射信号は、単層のＤＶＤの場合、単層の記録面に対応する一つのピークレベルを有し、また、レベル自体も大きくなる。
【００１１】
これに対し、多層のＤＶＤの場合、複数の記録面に対応する複数のピークレベルを有する（この図１１に示す例の場合、２層のＤＶＤであるため、２つのピークレベルとなっている。）。また、レベル自体も、各層の光の透過率の違いや各層間に間隙部が存在することによる光の乱反射等により、単層のＤＶＤと比べて低くなる（反射レベルＰ１＞反射レベルＰ２）。
【００１２】
このため、レベル判別方式においては、単層のＤＶＤから得られる信号面反射信号のピークレベルと、多層のＤＶＤから得られる信号面反射信号のピークレベルとの間のレベルとなる閾値を設定する。そして、信号面反射信号の信号レベルがこの閾値以上のレベルであった場合はそのＤＶＤは単層のＤＶＤと判別する。
【００１３】
これに対して、信号面反射信号の信号レベルがこの閾値未満のレベルであった場合は、そのＤＶＤは多層のＤＶＤ、若しくは低反射記憶媒体（ＤＶＤ−ＲＷ等の相変化ディスク）と判別する。
【００１４】
これにより、単層の低反射記憶媒体と多層の低反射記憶媒体の各ＤＶＤの反射率の差による単層低反射記憶媒体と多層低反射記憶媒体の判別を行うことができる。
【００１５】
次に、上記フォーカスエラーカウント方式において、光ピックアップを一定のレーザレベルとし、所定の位置から徐々にＤＶＤに近づけていくと、単層のＤＶＤの場合、レーザビームの焦点が記録面の表面から背面に移動する間に、図１２に示すフォーカスエラー信号（ＦＥ）を得ることができる。また、多層のＤＶＤの場合は、レーザビームの焦点が記録面の表面から背面に移動する間に、図１３に示すようなフォーカスエラー信号（ＦＥ）を得ることができる。
【００１６】
フォーカスエラーカウント方式においては、このフォーカスエラー信号に対してハイレベル用の閾値（ＦｃｍｐＨ  Ｓｌｉｃｅ  Ｌｅｖｅｌ）を設定する。これにより、フォーカスエラー信号がこのハイレベル用の閾値以上となっている間、ハイレベルとなる信号であるＦｃｍｐＨ信号が形成される。
【００１７】
或いは、フォーカスエラーカウント方式においては、フォーカスエラー信号に対してローレベル用の閾値（ＦｃｍｐＬ  Ｓｌｉｃｅ  Ｌｅｖｅｌ）を設定する。これにより、フォーカスエラー信号がこのローレベル用の閾値以下となっている間、ハイレベルとなる信号であるＦｃｍｐＬ信号が形成される。
【００１８】
図１２に示すＦｃｍｐＨ信号或いはＦｃｍｐＬ信号と、図１３に示すＦｃｍｐＨ信号或いはＦｃｍｐＬ信号とを見比べてわかるように、単層のＤＶＤの場合、ＦｃｍｐＨ信号或いはＦｃｍｐＬ信号のパルス数は１つである。しかし、多層のＤＶＤの場合、ＦｃｍｐＨ信号或いはＦｃｍｐＬ信号のパルス数が複数となる（なお、図１３に示す例の場合、２層のＤＶＤであるため、ＦｃｍｐＨ信号及びＦｃｍｐＬ信号のパルス数は２つとなっている。）。
【００１９】
フォーカスエラーカウント方式においては、このパルス数をカウントし、パルス数が１つの場合は単層のＤＶＤと判別し、パルス数が複数の場合は多層のＤＶＤと判別する。これにより、このフォーカスエラーカウント方式によれば、ＤＶＤの記録層が単層であるか又は多層であるかを判別することができる。
【００２０】
【発明が解決しようとする課題】
しかし、従来の単層又は多層の判別方式である「レベル判別方式」及び「フォーカスエラーカウント方式」は、いずれの方式も再生信号或いはフォーカスエラー信号の信号レベルに対する依存度が大きかったため、以下の問題を生じていた。
【００２１】
「レベル判別方式」は、記録再生時の各種ゲインの設定の判断には有効である。しかし、単層又は多層の判別には、各機器毎に最適なレベルの閾値設定が必要であることや、経年変化によるメディアの反射率のバラツキに対する許容度が狭い問題があった。
【００２２】
一方、「フォーカスエラーカウント方式」の機器の場合、「レベル判別方式」の機器と同様の理由により、ハイレベル用の閾値（ＦｃｍｐＨ  Ｓｌｉｃｅ  Ｌｅｖｅｌ）或いはローレベル用の閾値（ＦｃｍｐＬ  Ｓｌｉｃｅ  Ｌｅｖｅｌ）を最適なレベルに設定することが困難であり、カウント用のパルスが正確に形成されない問題があった。
【００２３】
また、「フォーカスエラーカウント方式」の機器の場合、以下に説明する偽パルスの発生により、正確なパルス数のカウントを行うことができない問題があった。
【００２４】
フォーカスエラー信号（ＦＥ）は、フォーカスエラーの検出方式，光ピックアップの光学設計，温度変化，信号利得等により、合焦点の前後において、図１２及び図１３に示すように信号波形に「うねり」を生ずることがある。このうねりのレベルがハイレベル用の閾値（ＦｃｍｐＨ  Ｓｌｉｃｅ  Ｌｅｖｅｌ）以上のレベル、或いはローレベル用の閾値（ＦｃｍｐＬ  Ｓｌｉｃｅ  Ｌｅｖｅｌ）以下のレベルとなった場合には、図１２及び図１３に点線の波形のパルスで示すように、本来、発生するはずのない偽パルスが発生する。
【００２５】
「フォーカスエラーカウント方式」の場合、ＦｃｍｐＨ信号或いはＦｃｍｐＬ信号のパルス数をカウントすることで単層又は多層の判別を行っているため、このような偽パルスが発生するとＦｃｍｐＨ信号或いはＦｃｍｐＬ信号のパルス数のカウント値が、本来のカウント値とは異なるカウント値となり、正確な単層又は多層の判別を行うことができない。
【００２６】
例えば、図１２に示す単層のＤＶＤの場合、ＦｃｍｐＨ信号或いはＦｃｍｐＬ信号のパルス数のカウント値は、本来「１」のはずである。しかし、点線の波形の偽パルスもカウントされてしまうため、カウント値が「２」となり、単層のＤＶＤのはずが、多層のＤＶＤであると誤って判別されてしまう。
【００２７】
本発明は上述の課題に鑑みてなされたものであり、「フォーカスエラーカウント方式」及び「レベル判別方式」に代わる新規な記録層判別方式を提供すると共に、機器毎の特性差，記憶媒体の反射率のバラツキ，環境温度の変化、及びフォーカスエラー信号のうねりにより発生する偽パルスに影響されることなく正確に記憶媒体の記録層の判別を行うことができるような記録層判別装置，記録層判別プログラム及び記録層判別方法の提供を目的とする。
【００２８】
【課題を解決するための手段】
本発明は、記憶媒体の記録面に対して略垂直に照射した光の焦点を、その光の光路に沿った方向に移動制御し、記憶媒体により反射される光の反射光に基づい記憶媒体の記録層の層間厚を検出する。そして、この検出された層間厚の値に基づいて記憶媒体の単層／多層判別を行う。
【００２９】
【発明の実施の形態】
本発明は、記録層が単層及び多層の両方の記憶媒体が存在する、例えばＤＶＤに記録されているビデオゲームプログラムを再生してビデオゲームを実行するビデオゲーム装置に適用することができる。
【００３０】
［第１の実施の形態の構成］
この本発明の第１の実施の形態となるビデオゲーム装置は、ビデオゲームの実行機能の他、図１に示すＤＶＤの記録層が単層であるか又は多層であるかを判別する記録層判別機能を有している。
【００３１】
この図１からわかるように、この実施の形態のビデオゲーム装置は、ＤＶＤの記録層判別機能として、ＤＶＤ１に対してレーザビームを照射すると共に、このレーザビームの反射光に基づいて、少なくともフォーカスエラー信号（ＦＥ信号）を形成する光ピックアップ２と、ＤＶＤ１の記録層が単層であるか又は多層であるかの判別時において、光ピックアップ２の対物レンズ３２を駆動して、レーザビームの焦点を、ＤＶＤ１の表面から離れた所定の位置（以下、Ｆａｒ位置という）からＤＶＤ１の表面近傍の位置（以下、Ｎｅａｒ位置という）まで移動させるドライバ３とを有している。
【００３２】
また、このビデオゲーム装置は、光ピックアップ２からのフォーカスエラー信号に対してハイレベル用の閾値（Ｈｒｅｆ）を設定するためのＨｒｅｆ回路４と、Ｈｒｅｆ回路４により設定されたハイレベル用の閾値に基づいて光ピックアップ２からのフォーカスエラー信号を２値化する第１の２値化回路５と、第１の２値化回路５により２値化されたフォーカスエラー信号の立ち下がりエッジを検出する立ち下がりエッジ検出回路６と、立ち下がりエッジ検出回路６でフォーカスエラー信号の立ち下がりエッジが検出されたタイミングで時刻のカウントを開始するタイマ７とを有している。
【００３３】
また、このビデオゲーム装置は、光ピックアップ２からのフォーカスエラー信号に対してローレベル用の閾値（Ｌｒｅｆ）を設定するためのＬｒｅｆ回路８と、Ｌｒｅｆ回路８により設定されたローレベル用の閾値に基づいて光ピックアップ２からのフォーカスエラー信号を２値化する第２の２値化回路９と、この第２の２値化回路９により２値化されたフォーカスエラー信号の立ち上がりエッジを検出する立ち上がりエッジ検出回路１０とを有している。
【００３４】
また、このビデオゲーム装置は、光ピックアップ２からの再生信号（ＲＦ信号＝和信号）を所定の利得で増幅する増幅回路３３と、この増幅回路３３からのＲＦ信号を２値化するための閾値（ｒｅｆ）を設定するｒｅｆ回路１２と、ｒｅｆ回路１２に設定された閾値に基づいて光ピックアップ２からの再生信号を２値化する第３の２値化回路１３と、第３の２値化回路１３で２値化された再生信号の立ち下がりエッジを検出する立ち下がりエッジ検出回路１４と、立ち上がりエッジ検出回路１０でフォーカスエラー信号の立ち上がりエッジが検出される毎に、タイマ７からの時刻のカウント値を順次記憶すると共に、立ち下がりエッジ検出回路１４で再生信号の立ち下がりエッジが検出されたタイミングで、最後に記憶された時刻のカウント値を、ＤＶＤ１の記録層の層間厚に相当するカウント値（Ｔｌａｙｅｒｓｐａｃｅ）として出力するカウント値記憶部１１とを有している。
【００３５】
また、このビデオゲーム装置は、記録層が単層であるか又は多層であるかを判別する記録層判別プログラムが記憶されたメモリ（ＲＯＭ）１９と、インターネット等の所定のネットワークに接続されたサーバ装置から前記記録層判別プログラムをダウンロードする通信制御部２０と、通信制御部２０によりダウンロードされた記録層判別プログラムを記憶するメモリ（ＲＡＭ）或いはハードディスク（ＨＤＤ）等の記憶部２１と、ビデオゲームの実行制御及び記録層判別制御の他、装置全体の制御を行う制御部２２とを有している。
【００３６】
［記録層の単層又は多層の判別動作］
次に、このような構成を有するビデオゲーム装置におけるＤＶＤ１の記録層の判別動作を説明する。図２は、記録層が単層か又は多層かの判別を行う記録層判別行程の流れを示すフローチャートである。このフローチャートに示す記録層判別の実行プログラムは、ＲＯＭ１９に予め記憶されており、制御部２２が、このＲＯＭ１９から記録層判別の実行プログラムを読み出して実行制御するようになっている。
【００３７】
また、このＤＶＤ１に記憶されている記録層判別の実行プログラムを読み出して、例えばＲＡＭやＨＤＤ等の記憶部２１にインストールし、次回からこの記憶部２１にインストールされた記録層判別の実行プログラムを読み出し、記録層判別行程を実行制御するようにしてもよい。
【００３８】
また、このフローチャートに示す記録層判別の実行プログラムを、通信制御部２０を介して、例えばインターネット上のサーバ装置からダウンロードして記憶部２１に一旦記憶制御し、制御部２２が、この記憶部２１に記憶された記録層判別の実行プログラムを読み出して実行制御するようにしてもよい。
【００３９】
このような図２のフローチャートに示す記録層判別行程は、ビデオゲーム装置の制御部２２がＤＶＤ１の装着を検出したタイミングでスタートとなる。
【００４０】
この記録層の判別は、この実施の形態のビデオゲーム装置の場合、ＤＶＤ１の内周側を対象として実行される（なお、この判別は、ＤＶＤ１の外周側や、内周と外周の中間部分等を対象に行ってもよい。）。このため、制御部２２は、ステップＳ１において、光ピックアップ２の対物レンズ３２を、ＤＶＤ１の内周側所定位置で、ＤＶＤ１から所定の距離だけ離れた位置（Ｆａｒ位置）となるように、ドライバ３を介して２軸アクチュエータ３１を移動制御する。
【００４１】
また、制御部２２は、ステップＳ２において、光ピックアップ２の半導体レーザを点灯制御してＤＶＤ１の内周面にレーザビームを照射制御すると共に、上記所定の距離だけ離れた位置（Ｆａｒ位置）にある対物レンズ３２を、ＤＶＤ１の保護膜に近接した位置（Ｎｅａｒ位置）まで等速で徐々に近づけるようにドライバ３を介して２軸アクチュエータ３１を駆動制御する。これにより、レーザビームの焦点は、ＤＶＤ１の記録層に対して徐々に近づくように移動することとなる。
【００４２】
次に、光ピックアップ２からＤＶＤ１に対してレーザビームが照射されると、このレーザビームがＤＶＤ１により反射され反射光が生ずる。この反射光は、光ピックアップ２内に設けられたフォトディテクタが受光する。そして、フォトディテクタは、受光した反射光から受光光量及び受光状態に応じたフォーカスエラー信号（ＦＥ信号：例えば非点収差法で形成）、及びＲＦ信号（和信号）を形成する。このうち、フォーカスエラー信号は、第１の２値化回路５及び第２の２値化回路９に供給され、ＲＦ信号は、増幅回路３３により所定の利得で増幅され第３の２値化回路１３に供給される。
【００４３】
光ピックアップ２の対物レンズ３２を上記Ｆａｒ位置からＮｅａｒ位置まで等速に移動制御すると、単層のＤＶＤの場合、記録面に対する合焦の前後にかけて図３に示すような１周期分の振幅となるフォーカスエラー信号を得ることができる。これに対して、多層（この例の場合２層）のＤＶＤの場合、各記録層の記録面に対する合焦の前後にかけて図４に示すような２周期分の振幅となるフォーカスエラー信号を得ることができる。
【００４４】
このようなフォーカスエラー信号が供給される第１の２値化回路５には、図３及び図４に示すように、Ｈｒｅｆ回路４によりハイレベル用の閾値（ＦｃｍｐＨ  Ｓｌｉｃｅ  Ｌｅｖｅｌ）が設定されている。また、第２の２値化回路９には、図３及び図４に示すように、Ｌｒｅｆ回路８によりローレベル用の閾値（ＦｃｍｐＬ  Ｓｌｉｃｅ  Ｌｅｖｅｌ）が設定されている。
【００４５】
なお、単層のＤＶＤ１のフォーカスエラー信号のレベルよりも、多層のＤＶＤ１のフォーカスエラー信号の方がレベルが小さく現れるため、このレベルの小さな多層のＤＶＤ１のフォーカスエラー信号に合わせて、ハイレベル用の閾値（ＦｃｍｐＨ  Ｓｌｉｃｅ  Ｌｅｖｅｌ）及びローレベル用の閾値（ＦｃｍｐＬ  Ｓｌｉｃｅ  Ｌｅｖｅｌ）のレベルを設定することが好ましいであろう。
【００４６】
第１の２値化回路５は、このハイレベル用の閾値（ＦｃｍｐＨ  Ｓｌｉｃｅ  Ｌｅｖｅｌ）に基づいてフォーカスエラー信号を２値化することで、フォーカスエラー信号がハイレベル用の閾値以上のレベルとなる期間である図３及び図４に示す時刻ｔ３〜時刻ｔ４間、時刻ｔ７〜時刻ｔ８間、時刻ｔ１３〜時刻ｔ１４間、時刻ｔ１７〜時刻ｔ１８間、時刻ｔ２１〜時刻ｔ２２間、及び時刻ｔ２５〜時刻ｔ２６間に、それぞれハイレベルとなるＦｃｍｐＨ信号を形成し、これを立ち下がりエッジ検出回路６に供給する。
【００４７】
立ち下がりエッジ検出回路６は、図３及び図４の時刻ｔ４に示すＦｃｍｐＨ信号の「最初の立ち下がりエッジ」を検出し、この立ち下がりエッジを検出したタイミングで検出出力をタイマ７に供給する。タイマ７は、ＦｃｍｐＨ信号の最初の立ち下がりエッジの検出出力が供給されると時刻のカウントを開始し、このカウント値をカウント値記憶部１１に供給する。
【００４８】
図２に示すフローチャートのステップＳ３は、立ち下がりエッジ検出回路６がＦｃｍｐＨ信号の「最初の立ち下がりエッジ」のタイミングを監視しているステップであり、立ち下がりエッジ検出回路６でＦｃｍｐＨ信号の「最初の立ち下がりエッジ」が検出されたタイミングで、この記録層判別行程がステップＳ４に進み、タイマ７による時刻のカウントがスタートすることとなる。
【００４９】
これに対して、第２の２値化回路９は、上記ローレベル用の閾値（ＦｃｍｐＬ  Ｓｌｉｃｅ  Ｌｅｖｅｌ）に基づいてフォーカスエラー信号を２値化することで、フォーカスエラー信号がローレベル用の閾値以下のレベルとなる期間である図３及び図４に示す時刻ｔ１〜時刻ｔ２間，時刻ｔ５〜時刻ｔ６間，時刻ｔ１１〜時刻ｔ１２間，時刻ｔ１５〜時刻ｔ１６間，時刻ｔ１９〜時刻ｔ２０間、及び時刻ｔ２３〜時刻ｔ２４間に、それぞれハイレベルとなるＦｃｍｐＬ信号を形成し、これを立ち上がりエッジ検出回路１０に供給する。
【００５０】
立ち上がりエッジ検出回路１０は、図３及び図４の時刻ｔ１，時刻ｔ５，時刻ｔ１１，時刻ｔ１５，時刻ｔ１９，時刻ｔ２３に示すＦｃｍｐＬ信号の立ち上がりエッジをそれぞれ検出し、この立ち上がりエッジを検出したタイミングで検出出力をカウント値記憶部１１にそれぞれ供給する。
【００５１】
カウント値記憶部１１は、立ち上がりエッジ検出回路１０からＦｃｍｐＬ信号の立ち上がりエッジの検出出力が供給されるタイミングで、タイマ７から供給された時刻のカウント値を記憶する。これにより、この例の場合、図３及び図４に示す時刻ｔ１，時刻ｔ５，時刻ｔ１１，時刻ｔ１５，時刻ｔ１９，時刻ｔ２３のタイミングでタイマ７から供給された時刻のカウント値が、それぞれカウント値記憶部１１に記憶されることとなる。
【００５２】
一方、光ピックアップ２の対物レンズ３２を上記Ｆａｒ位置からＮｅａｒ位置に徐々に等速に移動させると、レーザビームの焦点がディスク表面の保護膜から信号面である記録層にかけて移動する。このため、単層のＤＶＤ１及び多層のＤＶＤ１共、それぞれ図５及び図６に示すように、レーザビームの焦点がディスク表面の保護膜に合焦したタイミング、及び信号面である記録層に合焦した際にそれぞれレベルが大きくなるＲＦ信号を得ることができる。
【００５３】
このようなＲＦ信号が供給される第３の２値化回路１３には、ｒｅｆ回路１２により、図５及び図６に示すような、レーザビームの焦点がディスク表面の保護膜に合焦したタイミングでレベルが大きくなるＲＦ信号、及び信号面である記録層に合焦した際にそれぞれレベルが大きくなるＲＦ信号をそれぞれ２値化するための閾値（ｒｅｆ）が設定されている。
【００５４】
第３の２値化回路１３は、この閾値に基づいてＲＦ信号を２値化することにより、図５及び図６の時刻ｔ３１〜時刻ｔ３２間，時刻ｔ３３〜時刻ｔ３４間、及び時刻ｔ４１〜時刻ｔ４２間，時刻ｔ４３〜時刻ｔ４４間に示すようなレーザビームの焦点がディスク表面の保護膜及び信号面である記録層に合焦した際にそれぞれハイレベルとなるＤｉｓｃｄｅｔ信号を形成し、これを立ち下がりエッジ検出回路１４に供給する。
【００５５】
図５及び図６にフォーカスエラー信号（ＦＥ）も合わせて示すが、この図５及び図６からわかるようにＤＶＤ１の記録面に対する合焦の前後にかけてフォーカスエラー信号が現れるタイミングは、２つ目のハイレベルのＤｉｓｃｄｅｔ信号が現れるタイミング（図５：時刻ｔ３３〜時刻ｔ３４間、図６：時刻ｔ４３〜時刻ｔ４４間）と同じとなる。
【００５６】
このため、立ち下がりエッジ検出回路１４は、記録面に対する合焦の前後にかけて現れるフォーカスエラー信号の立ち下がりのタイミングで発生する、図５及び図６の時刻ｔ３４，時刻ｔ４４に示す２つ目のハイレベルのＤｉｓｃｄｅｔ信号の立ち下がりエッジを検出し、このタイミングで検出出力をカウント値記憶部１１に供給する。
【００５７】
カウント値記憶部１１は、立ち下がりエッジ検出回路１４からの検出出力が供給されると、この検出出力が供給された直前に記憶されたタイマ７からの時刻のカウント値を、ＤＶＤ１の記録層の間の距離（層間厚）に相当するカウント値（Ｔｌａｙｅｒｓｐａｃｅ）として制御部２２に供給する。
【００５８】
すなわち、前述のようにＦｃｍｐＨ信号の立ち下がりエッジのタイミングでタイマ７で時刻のカウントを開始し、このカウント値をＦｃｍｐＬ信号の立ち上がりエッジのタイミングで順次記憶した場合、単層のＤＶＤ１の場合は図３に示すＦｃｍｐＨ信号の時刻ｔ４のタイミングでタイマ７のカウントが開始され、ＦｃｍｐＬ信号の時刻ｔ５のタイミングでタイマ７からの時刻のカウント値がカウント値記憶部１１に記憶される。
【００５９】
また、多層のＤＶＤ１の場合は図４に示すＦｃｍｐＨ信号の時刻ｔ１４のタイミングでタイマ７のカウントが開始され、ＦｃｍｐＬ信号の時刻ｔ１５，時刻ｔ１９，時刻ｔ２３のタイミングでタイマ７からの時刻のカウント値がそれぞれカウント値記憶部１１に記憶される。
【００６０】
カウント値記憶部１１は、この記憶した時刻のカウント値のうち、図３の時刻ｔ５に示すＦｃｍｐＬ信号の立ち上がりエッジのタイミング、或いは図４の時刻ｔ２３に示すＦｃｍｐＬ信号の立ち上がりエッジのタイミングで記憶されたタイマ７からの時刻のカウント値（Ｔｌａｙｅｒｓｐａｃｅ）を制御部２２に供給する。
【００６１】
図３の時刻ｔ４〜時刻ｔ５間、及び図４の時刻ｔ１４〜時刻ｔ２３間におけるタイマ７からの時刻のカウント値である、ＦｃｍｐＨ信号の立ち下がりからＦｃｍｐＬ信号の立ち上がりまでの間のタイマ７の時刻のカウント値は、それぞれ単層或いは多層（この例の場合２層）のＤＶＤ１の層間厚に相当する値である。
【００６２】
図３の時刻ｔ４〜時刻ｔ５間、及び図４の時刻ｔ１４〜時刻ｔ２３間を見比べてわかるように、図３に示す単層のＤＶＤ１は層間厚が存在しないため、この層間厚に相当する間隔（Ｔｌａｙｅｒｓｐａｃｅ）が殆ど無いのであるが、図４に示す多層のＤＶＤ１は層間厚が存在するため、この層間厚に相当する間隔は単層のＤＶＤ１と比べて広い。
【００６３】
このため、層間厚に対応する時刻のカウント値を制御部２２に供給することで、制御部２２において、カウント値が所定のカウント値未満の場合、そのＤＶＤ１は単層のＤＶＤであり、カウント値が所定のカウント値以上の場合、そのＤＶＤ１は記録層が２層以上の多層のＤＶＤであると判別することができる。
【００６４】
このようなタイマ７のカウント開始から制御部２２における記録層判別までの流れは、図２のフローチャートではステップＳ４〜ステップＳ９に相当する。
【００６５】
すなわち、ステップＳ４においてタイマ７のカウントが開始されると、ステップＳ７において立ち下がりエッジ検出回路１４で２つ目のハイレベルのＤｉｓｃｄｅｔ信号の立ち下がりエッジが検出されるまでの間、ステップＳ５及びステップＳ６において、立ち上がりエッジ検出回路１０でＦｃｍｐＬ信号の立ち上がりエッジが検出される毎にカウント値記憶部１１がタイマ７からの時刻のカウント値を記憶する。
【００６６】
そして、ステップＳ７において、Ｄｉｓｃｄｅｔ信号の立ち下がりエッジが検出されると、カウント値記憶部１１が、このＤｉｓｃｄｅｔ信号の立ち下がりエッジが検出された直前のタイミングで記憶した時刻のカウント値を、ＤＶＤ１の層間厚に対応するカウント値として制御部２２に供給し、ステップＳ９において制御部２２が、このカウント値に基づいてＤＶＤ１の記録層判別を行う。
【００６７】
この実施の形態のビデオゲーム装置の場合、タイマ７のカウントを開始するタイミングは、ＦｃｍｐＨ信号の最初の立ち下がりエッジが検出されたタイミングである。図３及び図４からわかるように、このＦｃｍｐＨ信号においては、最初のパルスがフォーカスエラー成分による真のパルスであり、２番目以降のパルスに偽パルスが混在する。このため、ＦｃｍｐＨ信号の最初の立ち下がりエッジが検出されたタイミングでタイマ７のカウントを開始することにより、偽パルスの影響を受けることなく真のパルスに基づいてタイマ７のカウントを開始することができる（ＦｃｍｐＨ信号は、最初の真のパルスのみをタイマ７のカウント開始のトリガとして利用するだけである。）。
【００６８】
また、ＦｃｍｐＬ信号においては、図３及び図４からわかるように、最初に偽パルスが発生し、以後、偽パルスと真のパルスが混在することとなるのであるが、Ｄｉｓｃｄｅｔ信号の立ち下がりエッジの直前のタイミングで形成される時刻ｔ５〜時刻ｔ６間、及び時刻ｔ２３〜時刻ｔ２４間のパルスは真のパルスである。このため、Ｄｉｓｃｄｅｔ信号の立ち下がりエッジの直前のタイミングで形成されたカウント値をＤＶＤ１の層間厚に対応するカウント値として検出することにより、偽パルスに影響されることなく真のパルスを用いて正確に層間厚に対応するカウント値を検出することができる。
【００６９】
すなわち、この実施の形態のビデオゲーム装置の場合、光ピックアップ２の対物レンズ３２をＦａｒ位置からＮｅａｒ位置に移動させると、ＦｃｍｐＨ信号の場合、最初に真のパルスが形成されるため、偽パルスの影響を回避するためにこの最初の真のパルスを用いてタイマ７のカウントを開始制御する。また、ＦｃｍｐＬ信号の場合、フォーカスエラー信号の最後に真のパルスが形成されるため、偽パルスの影響を回避するためにこの最後の真のパルスを用いてタイマ７のカウント値の取り込みを行う。これにより、偽パルスに影響されることなく真のパルスのみを用いて正確に層間厚に対応する時刻のカウント値の取り込みを行うことができる。
【００７０】
従って、このような層間厚に正確に対応する時刻のカウント値を用いてＤＶＤ１の記録層判別を行うことにより、時刻のカウント値が所定値よりも小さい場合は単層のＤＶＤであると判別することができる。また、時刻のカウント値が所定値よりも大きい場合は多層のＤＶＤであると判別することができる。
【００７１】
［第１の実施の形態の効果］
以上の説明から明らかなように、この第１の実施の形態のビデオゲーム装置は、光ピックアップ２の対物レンズ３２をＦａｒ位置からＮｅａｒ位置まで等速に移動させた際に得られるフォーカスエラー信号に対してハイレベル用の閾値（ＦｃｍｐＨ）及びローレベル用の閾値（ＦｃｍｐＬ）をそれぞれ設定する。
【００７２】
ハイレベル用の閾値（ＦｃｍｐＨ）に基づいて形成されるＦｃｍｐＨ信号は、最初に真のパルスが現れ（図３：時刻ｔ３〜時刻ｔ４期間、図４：時刻ｔ１３〜時刻１４期間）、２番目以降のパルスに偽パルスが混在する可能性があるため、この最初の真のパルスに基づいてタイマ７のカウントを開始させる。
【００７３】
また、ローレベル用の閾値（ＦｃｍｐＬ）に基づいて形成されるＦｃｍｐＬ信号は、フォーカスエラー信号が現れる期間の最後に真のパルスが現れる。このため、ＲＦ信号に基づいてフォーカスエラー信号が現れる期間を検出し（図５の時刻ｔ３３〜時刻ｔ３４期間、図６の時刻ｔ４３〜時刻ｔ４４期間参照）、このフォーカスエラー信号が現れる期間の最後に現れたＦｃｍｐＬ信号（図３の時刻ｔ５〜時刻ｔ６期間、図４の時刻ｔ２３〜時刻２４期間参照）のタイミングでタイマ７の時刻のカウント値を検出する。
【００７４】
タイマ７の時刻のカウント値は、各記録層の間の層間厚に対応する値となり、単層のＤＶＤの場合は非常に小さなカウント値に、また、多層のＤＶＤの場合は大きなカウント値となる。このため、単層のＤＶＤの場合に得られるカウント値と、多層のＤＶＤの場合に得られるカウント値との間の値に閾値を設定することで、検出されたカウント値がこの閾値よりも小さな場合はそのＤＶＤは単層のＤＶＤであると判別することができ、検出されたカウント値がこの閾値よりも大きな場合はそのＤＶＤは多層のＤＶＤであると判別することができる。
【００７５】
このビデオゲーム装置の場合、ＦｃｍｐＨ信号の真のパルスのタイミングでタイマ７のカウント動作を開始させ、このタイマ７のカウント値を、ＦｃｍｐＬ信号の真のパルスのタイミングで取り込んでＤＶＤ１の記録層が単層か又は多層かの判別に用いているため、偽パルスの発生の有無に拘わらず正確にＤＶＤ１の記録層の判別を行うことができる。
【００７６】
また、フォーカスエラー信号やＲＦ信号に対して設定されるハイレベル用の閾値（ＦｃｍｐＨ），ローレベル用の閾値（ＦｃｍｐＬ）、及び閾値（ｒｅｆ）を、フォーカスエラー信号やＲＦ信号が現れるタイミングを大まかに検出するためだけに設定すればよいため、これらの閾値の設定に気を使うことなく、それぞれ大まかな値に設定することができる。このため、ビデオゲーム装置毎の特性差，各ＤＶＤ毎の反射率のバラツキや、光学ピックアップの経年変化による受光光量の変化が生じた場合でも、正確にＤＶＤ１の記録層が単層であるか又は多層であるかの判別を行うことを可能とすることができる。
【００７７】
［第２の実施の形態］
次に、本発明の第２の実施の形態となるビデオゲーム装置の説明をする。
【００７８】
光ピックアップ２の対物レンズ３２をＦａｒ位置からＮｅａｒ位置に移動制御した場合、各装置毎の光ピックアップ２の２軸アクチュエータ３１の低域感度のバラツキから、対物レンズ３２の移動速度にバラツキを生ずる。また、温度変化によってもマグネットの磁力変化により対物レンズ３２の移動速度にバラツキを生ずる。このため、各装置間において、上述の層間厚に対応する時刻のカウント値（Ｔｌａｙｅｒｓｐａｃｅ）の検出にバラツキを生ずる。
【００７９】
この第２の実施の形態のビデオゲーム装置は、光ピックアップ２の対物レンズ３２を等速で上昇制御した際に、上述の層間厚（Ｔｌａｙｅｒｓｐａｃｅ）に対応するカウント値と共に、ＤＶＤ１の保護膜の表面部から記録層の表面部までの間の厚さ（Ｔｓｕｂｓｔｒａｔｅ：サブストレート厚）に対応するカウント値を検出する。
【００８０】
このサブストレート厚に対応するカウント値は、その光ピックアップ２の２軸アクチュエータ３１の感度に対応して検出される。このため、この検出されたサブストレート厚と、規格化されているディスク板厚に基づいて上記層間厚（Ｔｌａｙｅｒｓｐａｃｅ）に対応するカウント値を補正すれば、２軸アクチュエータ３１の感度に影響されることなく層間厚（Ｔｌａｙｅｒｓｐａｃｅ）に対応するカウント値を正規化することができる。そして、この正規化されたカウント値に基づいて正確な記録層の判別を行うことができる。
【００８１】
この第２の実施の形態のビデオゲーム装置は、このように正規化された層間厚（Ｔｌａｙｅｒｓｐａｃｅ）に対応するカウント値に基づいて、単層であるか又は多層であるかの正確な記録層の判別を行うようにしたものである。
【００８２】
なお、上述の第１の実施の形態とこの第２の実施の形態とでは、この点のみが異なる。このため、以下、この両者の差異のみ説明することとし、重複説明を省略することとする。
【００８３】
［第２の実施の形態の構成］
図７に、この第２の実施の形態のビデオゲーム装置の主要部のブロック図を示す。この図７からわかるように、この第２の実施の形態のビデオゲーム装置は、上述の第１の実施の形態のビデオゲーム装置の構成に加え、ＲＦ信号の２値化を行う第３の２値化回路１３からのＤｉｓｃｄｅｔ信号の立ち上がりエッジを検出する立ち上がりエッジ検出回路１５と、この立ち上がりエッジ検出回路１５により最初にＤｉｓｃｄｅｔ信号の立ち上がりエッジが検出されたタイミングから、次にＤｉｓｃｄｅｔ信号の立ち上がりエッジが検出されたタイミングまでの間に時刻のカウントを行い、このカウント値を、ＤＶＤ１のサブストレート厚（Ｔｓｕｂｓｔｒａｔｅ）に対応する値として出力する第２のタイマ１６を有している。
【００８４】
また、このビデオゲーム装置は、規格で定められているＤＶＤ１のディスク板厚の値（ディスク板厚基準値）を出力するディスク板厚基準値出力回路１７と、このディスク板厚基準値出力回路１７からのディスク板厚基準値及び第２のタイマ１６からのサブストレート厚を示すカウント値（Ｔｓｕｂｓｔｒａｔｅ）に基づいて、カウント値記憶部１１からのカウント値である層間厚（Ｔｌａｙｅｒｓｐａｃｅ）を正規化する演算を行う演算部１８と、この演算部１８により正規化された層間厚に基づいてＤＶＤ１の記録層が単層であるか又は多層であるかの判別を行う制御部２２とを有している。
【００８５】
［記録層の単層又は多層の判別動作］
次に、このような構成を有する第２の実施の形態のビデオゲーム装置における記録層の判別動作を説明する。この第２の実施の形態のビデオゲーム装置の場合、記録層判別行程は、立ち上がりエッジ検出回路１５及び第２のタイマ１６で行われる「サブストレート厚検出行程」と、カウント値記憶部１１から出力された層間厚に対して正規化処理を施す「正規化行程」とからなっている。
【００８６】
まず、図８のフローチャートを用いて「サブストレート厚検出行程」の流れを説明する。このフローチャートは、ビデオゲーム装置の制御部２２が、ＤＶＤ１の装着を検出したタイミングでスタートとなり、サブストレート厚検出行程がステップＳ１１に進む。
【００８７】
ステップＳ１１及びステップＳ１２は、図２のフローチャートのステップＳ１及びステップＳ２に相当するステップであり、上述と同様に、制御部２２が、光ピックアップ２の半導体レーザを点灯駆動すると共に、Ｆａｒ位置からＮｅａｒ位置まで光ピックアップ２の対物レンズ３２を等速で上昇制御する。
【００８８】
これにより、光ピックアップ２において、フォーカスエラー信号及びＲＦ信号が形成され、フォーカスエラー信号は第１，第２の２値化回路５，９に、また、ＲＦ信号は増幅回路３３により所定の利得で増幅され第３の２値化回路１３に供給される。そして、上述の第１の実施の形態と同様に、このフォーカスエラー信号及びＲＦ信号に基づいて、立ち下がりエッジ検出回路６，立ち上がりエッジ検出回路１０，立ち下がりエッジ検出回路１４，第１のタイマ７及びカウント値記憶部１１等によりＤＶＤ１の層間厚を示すカウント値（Ｔｌａｙｅｒｓｐａｃｅ）が形成される。この第２の実施の形態の場合は、この層間厚を示すカウント値（Ｔｌａｙｅｒｓｐａｃｅ）は演算部１８に供給される。
【００８９】
一方、第３の２値化回路１３は、増幅回路３３により所定の利得で増幅されたＲＦ信号を２値化することで上記Ｄｉｓｃｄｅｔ信号を形成すると、このＤｉｓｃｄｅｔ信号を上記立ち下がりエッジ検出回路１４に供給すると共に、立ち上がりエッジ検出回路１５に供給する。
【００９０】
図５及び図６を用いて説明したように、光ピックアップ２の対物レンズ３２をＦａｒ位置からＮｅａｒ位置まで上昇制御すると、最初にＤＶＤ１の保護膜（ディスク表面）に対してレーザビームの焦点が移動したタイミングでハイレベルとなるＤｉｓｃｄｅｔ信号を得ることができ（図５：時刻ｔ３１〜時刻３２間、図６：時刻ｔ４１〜時刻４２間）、次に、ＤＶＤ１の記録層（信号面）にレーザビームの焦点が移動したタイミングでハイレベルとなるＤｉｓｃｄｅｔ信号を得ることができる（図５：時刻ｔ３３〜時刻３４間、図６：時刻ｔ４３〜時刻４４間）。
【００９１】
図５に示す単層のＤＶＤの場合、最初にハイレベルとなるＤｉｓｃｄｅｔ信号を得ることができる時刻は時刻ｔ３１、図６に示す多層（この例の場合２層）のＤＶＤの場合、最初にハイレベルとなるＤｉｓｃｄｅｔ信号を得ることができる時刻は時刻ｔ４１なのであるが、立ち上がりエッジ検出回路１５は、このようなＤｉｓｃｄｅｔ信号の立ち上がりエッジを検出し、この検出出力を第２のタイマ１６に供給する。
【００９２】
図８のフローチャートのステップＳ１３は、このような立ち上がりエッジ検出回路１５におけるＤｉｓｃｄｅｔ信号の最初の立ち上がりエッジの検出動作を示しており、立ち上がりエッジ検出回路１５によりＤｉｓｃｄｅｔ信号の最初の立ち上がりエッジが検出されたタイミングでサブストレート厚検出行程がステップＳ１４に進む。
【００９３】
ステップＳ１４では、第２のタイマ１６が、立ち上がりエッジ検出回路１５によりＤｉｓｃｄｅｔ信号の最初の立ち上がりエッジが検出されたタイミングで時刻のカウントを開始する。
【００９４】
次に、光ピックアップ２の対物レンズ３２を上昇制御し続けると、図５の時刻ｔ３３、或いは図６の時刻ｔ４３に示すように記録層にレーザビームの焦点が移動したタイミングでハイレベルのＤｉｓｃｄｅｔ信号が得られるのであるが、立ち上がりエッジ検出回路１５は、ステップＳ１５においてこのＤｉｓｃｄｅｔ信号の立ち上がりエッジの有無を監視しており、図５の時刻ｔ３３或いは図６の時刻ｔ４３に示すＤｉｓｃｄｅｔ信号の立ち上がりエッジを再度検出したタイミングでその検出出力を第２のタイマ１６に供給する。これにより、この「サブストレート厚検出行程」がステップＳ１６に進む。
【００９５】
ステップＳ１６では、第２のタイマ１６が、立ち上がりエッジ検出回路１５からの上記検出出力に基づいて時刻のカウントを停止し、このカウント値をＤＶＤ１のサブストレート厚（Ｔｓｕｂｓｔｒａｔｅ）に対応するカウント値として演算部１８に供給する。これにより、この図８のフローチャートに示す「サブストレート厚検出行程」が終了する。
【００９６】
すなわち、第２のタイマ１６は、ＤＶＤ１の保護膜にレーザビームの焦点が移動した際に形成されるハイレベルのＤｉｓｃｄｅｔ信号の立ち上がりエッジのタイミング（図５：時刻ｔ３１、図６：時刻ｔ４１）で時刻のカウントを開始し、ＤＶＤ１の記録層にレーザビームの焦点が移動した際に形成されるハイレベルのＤｉｓｃｄｅｔ信号の立ち上がりエッジのタイミング（図５：時刻ｔ３３、図６：時刻ｔ４３）で時刻のカウントを停止する。
【００９７】
この第２のタイマ１６におけるカウント開始からカウント停止までの時間である、図５の時刻ｔ３１〜時刻ｔ３３間、或いは図６の時刻ｔ４１〜時刻ｔ４３間は、レーザビームの焦点が、ＤＶＤ１の保護膜の表面部から記録層の表面部までの間であるＤＶＤ１のサブストレート厚分だけ移動するのに要した時間である。このため、この移動に要した時間を検出（カウント）することで、その光ピックアップ２の２軸アクチュエータ３１特有の移動特性を検出することができる。
【００９８】
この第２の実施の形態のビデオゲーム装置の場合、このようにして光ピックアップ２の２軸アクチュエータ３１の移動特性に対応して得られるサブストレート厚と、規格で定められているＤＶＤ１のディスク板厚とに基づいて、カウント値記憶部１１からの層間厚に対応するカウント値を補正（正規化）するようになっている。
【００９９】
図９のフローチャートに、この「正規化行程」の流れを示す。なお、この図９に示す「正規化行程」のフローチャートは、図２のフローチャートに示した第１の実施の形態における記録層判別行程のステップＳ８とステップＳ９との間に、カウント値記憶部１１からの層間厚の値を補正（正規化）するステップＳ２１を付加したものである。従って、この図９のフローチャートにおいて、図２のフローチャートと同じ動作を示すステップには同じステップ番号を付してある。詳しくは上述の図２のフローチャートの説明を参照されたい。
【０１００】
この図９のフローチャートの場合、ステップＳ８でカウント値記憶部１１から層間厚を示すカウント値（Ｔｌａｙｅｒｓｐａｃｅ）が演算部１８に供給されることで「正規化行程」がステップＳ２１に進む。
【０１０１】
演算部１８には、カウント値記憶部１１から層間厚を示すカウント値（Ｔｌａｙｅｒｓｐａｃｅ）と、上記第２のタイマ１６からのサブストレート厚のカウント値（Ｔｓｕｂｓｔｒａｔｅ）の他、規格で定められているＤＶＤ１のディスク板厚を示すディスク板厚基準値がディスク板厚基準値出力回路１７から供給されている。
【０１０２】
演算部１８は、ステップＳ２１において、この層間厚を示すカウント値（Ｔｌａｙｅｒｓｐａｃｅ）と、サブストレート厚に対応するカウント値（Ｔｓｕｂｓｔｒａｔｅ）と、ディスク板厚基準値とに基づいて、
正規化された層間厚＝Ｔｌａｙｅｒｓｐａｃｅ÷Ｔｓｕｂｓｔｒａｔｅ×ディスク板厚基準値との演算を行い層間厚を示すカウント値（Ｔｌａｙｅｒｓｐａｃｅ）を正規化する。
【０１０３】
制御部２２は、所定の閾値を有しており、正規化された層間厚の値がこの閾値以上の値ならばそのＤＶＤ１は多層のＤＶＤであると判別し、正規化された層間厚の値がこの閾値未満の値ならばそのＤＶＤ１は単層のＤＶＤであると判別する。
【０１０４】
以下、具体例を示す。
【０１０５】
ＤＶＤの規格により規定されているディスク板厚基準値……「６００μｍ」
ＤＶＤの規格により規定されている層間厚……「４０〜７０μｍ」
第２のタイマ１６によるサブストレート厚のカウント値……「３５ｍｓｅｃ」
第１のタイマ７による層間厚のカウント値……「３００μｓｅｃ」
0003565827.tif 000002
前述のように、ＤＶＤの規格により層間厚は「４０〜７０μｍ」と定められており、制御部２２には、例えば「２０μｍ」の閾値が設定されている。そして、正規化された層間厚は「５μｍ」である。このため、制御部２２は、「２０μｍ（閾値）＞５μｍ」であることから、現在装着されているＤＶＤ１を単層であると判別する。
【０１０６】
同様に、
ＤＶＤの規格により規定されているディスク板厚基準値……「６００μｍ」
ＤＶＤの規格により規定されている層間厚……「４０〜７０μｍ」
第２のタイマ１６によるサブストレート厚のカウント値……「３５ｍｓｅｃ」
第１のタイマ７による層間厚のカウント値……「３２００μｓｅｃ」
0003565827.tif 000003
この場合、正規化された層間厚は「５５μｍ」である。このため、制御部２２は、「２０μｍ（閾値）＜５５μｍ」であることから、現在装着されているＤＶＤ１を多層であると判別する。
【０１０７】
このように正規化された層間厚に基づいて記録層の判別を行うことにより、レンズを駆動する２軸アクチュエータの感度のバラツキによる焦点の移動速度のバラツキを補正して正確な記録層の判別を行うことができる。
【０１０８】
なお、制御部２２は、このような記録層の判別結果に基づいて、例えば光ピックアップ２からの各信号の利得の調整、記録層間の焦点移動を行うか否か（レイヤジャンプを行うか否か）等、ＤＶＤのタイプ（単層ｏｒ多層）に応じて各部の設定制御を行う。これにより、ＤＶＤのタイプに対応した各部の設定に基づく、情報の最適な記録再生を行うことができる。
【０１０９】
［第２の実施の形態の効果］
以上の説明から明らかなように、この第２の実施の形態のビデオゲーム装置は、層間厚（Ｔｌａｙｅｒｓｐａｃｅ）を正規化することができる。このため、各装置毎に光ピックアップの２軸アクチュエータの感度にバラツキが生じている場合でも、正確な層間厚（Ｔｌａｙｅｒｓｐａｃｅ）を算出することができる。そして、この正規化された層間厚（Ｔｌａｙｅｒｓｐａｃｅ）を用いることにより、記録層が単層であるか又は多層であるかの正確な判別を行うことができる他、上述の第１の実施の形態と同様の効果を得ることができる。
【０１１０】
［実施の形態の変形例］
なお、上述の各実施の形態の説明では、光ピックアップ２の対物レンズ３２をＦａｒ位置からＮｅａｒ位置にかけて等速に移動制御することとしたが、これは逆にＮｅａｒ位置からＦａｒ位置にかけて等速に移動制御するようにしてもよい。
【０１１１】
この場合、図３及び図４に示すフォーカスエラー信号の波形を反転させた波形のフォーカスエラー信号が得られることとなり、また、図５及び図６に示すＲＦ信号も、まず記録層に対応するＲＦ信号が得られ、次に保護膜に対応するＲＦ信号が得られることとなる。
【０１１２】
このため、この場合、図３，図４に示すＦｃｍｐＬ信号の時刻ｔ５，時刻ｔ２３の立ち下がりエッジのタイミングでタイマ７のカウントを開始制御し、ＦｃｍｐＨ信号の時刻ｔ４，時刻ｔ１４の立ち上がりエッジのタイミングでタイマ７のカウント値を取り込むこととなる。これにより、前述の各実施の形態と同様に正確にＤＶＤ１の記録層の判別を行うことができる。
【０１１３】
また、上述の各実施の形態の説明では、対物レンズ３２を移動制御してレーザビームの焦点移動を図ることとしたが、これは、光ピックアップ２全体を上記Ｆａｒ位置からＮｅａｒ位置（或いはＮｅａｒ位置からＦａｒ位置）にかけて移動制御し、或いはＤＶＤ１のディスク自体を光軸に沿った方向に移動制御してもよい。すなわち、レーザビームの焦点が、光軸に沿った方向に移動する手段を用いれば上述と同様の効果を得ることができる。
【０１１４】
また、上述の各実施の形態の説明では、ＦｃｍｐＨ信号の最初のパルスの立ち下がりエッジからＦｃｍｐＬ信号の最後のパルスの立ち上がりエッジまでの間のカウント値（Ｔｌａｙｅｒｓｐａｃｅ）に基づいて層間厚を検出することとしたが、これは、ＦｃｍｐＨ信号の最初のパルスの立ち上がりエッジからＦｃｍｐＬ信号の最後のパルスの立ち下がりエッジまでの間のカウント値、或いはＦｃｍｐＨ信号の最初のパルスの立ち上がりエッジから立ち下がりエッジまでの間の中間のタイミングから、ＦｃｍｐＬ信号の最後のパルスの立ち上がりエッジから立ち下がりエッジまでの間の中間のタイミングまでの間のカウント値に基づいて層間厚を検出するようにしてもよい。
【０１１５】
また、上述の各実施の形態の説明では、Ｄｉｓｃｄｅｔ信号の最初のパルスの立ち上がりエッジから２番目のパルスの立ち上がりエッジまでの間のカウント値（Ｔｓｕｂｓｔｒａｔｅ）に基づいてＤＶＤ１の保護膜の表面部から記録層の表面部までの間の間隔を検出することとしたが、これは、Ｄｉｓｃｄｅｔ信号の最初のパルスの立ち下がりエッジから２番目のパルスの立ち上がりエッジまでの間のカウント値、或いは最初のパルスの立ち上がりエッジから立ち下がりエッジまでの間の中間のタイミングから、２番目のパルスの立ち上がりエッジから立ち下がりエッジまでの間の中間のタイミングまでの間のカウント値に基づいてＤＶＤ１の保護膜の表面部から記録層の表面部までの間の間隔を検出するようにしてもよい。
【０１１６】
ＦｃｍｐＨ信号，ＦｃｍｐＬ信号，Ｄｉｓｃｄｅｔ信号の各パルスの立ち上がり及び立ち下がりのタイミングは、フォーカスエラー信号やＲＦ信号のレベルに依存するのであるが、パルスの中間のタイミングを用いることにより、各パルスの立ち上がり及び立ち下がりのタイミングの誤差を平均化（誤差を緩和）することができ、フォーカスエラー信号やＲＦ信号のレベルに影響されることなく、層間厚、或いはＤＶＤ１の保護膜の表面部から記録層の表面部までの間の間隔をさらに正確に検出することができる（検出精度の向上を図ることができる）。
【０１１７】
また、上述の各実施の形態の説明では、層間厚（Ｔｌａｙｅｒｓｐａｃｅ）に基づいて記録層が単層であるか又は多層であるかの判別を行うこととしたが、これは、検出した層間厚（Ｔｌａｙｅｒｓｐａｃｅ）に基づいて記録層の数を検出するようにしてもよい。すなわち、層間厚は、記録層の数に応じて規格により定められるため、実際に検出された層間厚（Ｔｌａｙｅｒｓｐａｃｅ）を、この規格により定められた値と比較することで記録層の数を検出することができる。
【０１１８】
また、上述の各実施の形態の説明では、第１のタイマ７及び第２のタイマ１６で時刻をカウントすることとしたが、これは所定の周波数のパルスのパルス数をカウントするようにしてもよい。この場合、層間厚（Ｔｌａｙｅｒｓｐａｃｅ）分だけ対物レンズ３２が移動するのに要した時間、及びサブストレート厚（Ｔｓｕｂｓｔｒａｔｅ）分だけ対物レンズ３２が移動するのに要した時間は、それぞれパルス数のカウント値として検出されることとなる。
【０１１９】
さらに、上述の各実施の形態の説明では、本発明をＤＶＤの再生機能を有するビデオゲーム装置に適用することとしたが、本発明は、この他、例えばＤＶＤプレーヤ装置，ＤＶＤ記録再生装置等の他の機器に適用してもよく、単層構造及び多層構造の両方の層構造が存在する記憶媒体を取り扱う機器であればどのような機器でも適用することができる。
【０１２０】
最後に、本発明は一例として説明した上述の各実施の形態に限定されることはなく、上述の各実施の形態以外であっても、本発明に係る技術的思想を逸脱しない範囲であれば、設計等に応じて種々の変更が可能であることは勿論であることを付け加えておく。
【０１２１】
【発明の効果】
本発明は、記憶媒体に設けられている記録層の層間厚さに基づく新規な方式により、正確に記憶媒体の記録層の判別を行うことができる。
【図面の簡単な説明】
【図１】本発明を適用した第１の実施の形態のビデオゲーム装置のブロック図である。
【図２】第１の実施の形態のビデオゲーム装置における記録層判別行程の流れを示すフローチャートである。
【図３】第１の実施の形態のビデオゲーム装置において、単層のＤＶＤから得られたフォーカスエラー信号に設定されたハイレベル用の閾値及びローレベル用の閾値と、この各閾値に基づいて形成されるＦｃｍｐＨ信号及びＦｃｍｐＬ信号を示す図である。
【図４】第１の実施の形態のビデオゲーム装置において、多層（２層）のＤＶＤから得られたフォーカスエラー信号に設定されたハイレベル用の閾値及びローレベル用の閾値と、この各閾値に基づいて形成されるＦｃｍｐＨ信号及びＦｃｍｐＬ信号を示す図である。
【図５】第１の実施の形態のビデオゲーム装置において、単層のＤＶＤから得られたＲＦ信号に設定された閾値と、この閾値に基づいて形成されるＤｉｓｃｄｅｔ信号を示す図である。
【図６】第１の実施の形態のビデオゲーム装置において、多層のＤＶＤから得られたＲＦ信号に設定された閾値と、この閾値に基づいて形成されるＤｉｓｃｄｅｔ信号を示す図である。
【図７】本発明を適用した第２の実施の形態のビデオゲーム装置のブロック図である。
【図８】第２の実施の形態のビデオゲーム装置におけるサブストレート厚検出行程の流れを示すフローチャートである。
【図９】第２の実施の形態のビデオゲーム装置における記録層判別行程の流れを示すフローチャートである。
【図１０】単層のＤＶＤから得られるＲＦ信号の信号レベルを説明するための図である。
【図１１】多層のＤＶＤから得られるＲＦ信号の信号レベルを説明するための図である。
【図１２】単層のＤＶＤから得られるフォーカスエラー信号のうねりにより発生する偽パルスを示す図である。
【図１３】多層のＤＶＤから得られるフォーカスエラー信号のうねりにより発生する偽パルスを示す図である。
【符号の説明】
１…ＤＶＤ，２…光ピックアップ，３…ドライバ，４…Ｈｒｅｆ回路，５…第１の２値化回路，６…立ち下がりエッジ検出回路，７…タイマ，８…Ｌｒｅｆ回路，９…第２の２値化回路，１０…立ち上がりエッジ検出回路，１１…カウント値記憶部，１２…ｒｅｆ回路，１３…第３の２値化回路，１４…立ち下がりエッジ検出回路，１５…立ち上がりエッジ検出回路，１６…第２のタイマ，１７…ディスク板厚基準値出力回路，１８…演算部，１９…ＲＯＭ，２０…通信制御部，２１…記憶部，２２…制御部，３１…２軸アクチュエータ，３２…対物レンズ，３３…増幅回路
【図１】
0003565827.tif 000004
【図２】
0003565827.tif 000005
【図３】
0003565827.tif 000006
【図４】
0003565827.tif 000007
【図５】
0003565827.tif 000008
【図６】
0003565827.tif 000009
【図７】
0003565827.tif 000010
【図８】
0003565827.tif 000011
【図９】
0003565827.tif 000012
【図１０】
0003565827.tif 000013
【図１１】
0003565827.tif 000014
【図１２】
0003565827.tif 000015
【図１３】
0003565827.tif 000016